(57)【要約】【課題】容易に製造することができるロータを提供すること。【解決手段】ロータ１５は、ロータコア５２と、ロータコア５２に固定された回転軸５１と、ロータコア５２の外表面と当接して周方向に複数設けられる永久磁石５３と、各永久磁石５３の外表面を覆う筒状の非磁性カバー５４とを備える。ロータコア５２は、硬度の高い高硬度部７１と、硬度の低い低硬度部７２とが、軸方向に並設されて構成され、低硬度部７２の外径が高硬度部７１の外径よりも小さく設定される。【選択図】図４
2018033241.tif 000002
【特許請求の範囲】
【請求項１】
ロータコアと、
ロータコアに固定された回転軸と、
ロータコアの外表面と当接して周方向に複数設けられる永久磁石と、
各前記永久磁石の外表面を覆う筒状の非磁性カバーと
を備えたロータであって、
前記ロータコアは、硬度の高い高硬度部と、硬度の低い低硬度部とが、軸方向に並設されて構成され、
前記低硬度部の外径が前記高硬度部の外径よりも小さく設定されたことを特徴とするロータ。
【請求項２】
請求項１に記載のロータであって、
前記高硬度部は、前記低硬度部よりも軸方向長さが長く形成されたことを特徴とするロータ。
【請求項３】
金属の板材をプレス加工により打ち抜いて、複数枚のステータコアシートと、複数枚のロータコアシートを形成し、前記複数枚のステータコアシートを積層してステータコアを形成し、前記ステータコアの軸方向端部にはロータコアとの対向面積を増大させる軸方向延出部を設け、前記軸方向延出部を含む前記ステータコアに対向させるために前記ステータコアシートより多い枚数のロータコアシートを積層して前記ロータコアを形成するモータの製造方法であって、
前記ステータコアシートと同一枚数のメインロータコアシートを前記ステータコアシートとともに打ち抜いて形成し、前記ロータコアシートの不足枚数分である補助ロータコアシートは前記ステータコアシートの原材料より硬度の低い金属板を打ち抜いて前記メインロータコアシートよりも外径を小さく形成し、前記メインロータコアシート及び補助ロータコアシートを積層してロータコアを形成し、回転軸を前記補助ロータコアシートが積層された側からロータコアに固定し、前記ロータコアの外表面に永久磁石を当接させた状態で該永久磁石の外表面を覆う筒状の非磁性カバーを圧入することを特徴とするモータの製造方法。
【請求項４】
請求項３に記載のモータの製造方法であって、
前記非磁性カバーを前記ロータコアの軸方向他端側に積層された前記メインロータコアシート側から圧入することを特徴とするモータの製造方法。
【発明の詳細な説明】
【技術分野】
【０００１】
本発明は、ロータ、及びモータの製造方法に関するものである。
【背景技術】
【０００２】
従来からモータのロータとしては、ロータコアと、ロータコアに圧入された状態で固定された回転軸と、ロータコアの外表面と当接して周方向に複数設けられる永久磁石とを備えたものがある（例えば、特許文献１参照）。また、各前記永久磁石の外表面を覆って保持する筒状の非磁性カバーを備えたものがある（例えば、特許文献２参照）。
【先行技術文献】
【特許文献】
【０００３】
【特許文献１】特開２０１４−１４７１７７号公報
【特許文献２】特開２０１５−２３１２５４号公報
【発明の概要】
【発明が解決しようとする課題】
【０００４】
しかしながら、上記したロータでは、回転軸や非磁性カバーを軸方向に沿って圧入する必要があり、例えば、回転軸を圧入する際にバリが発生してバリを除去する工程が必要となる等、製造が手間になる虞があった。
【０００５】
本発明は、上記問題点を解決するためになされたものであって、その目的は、容易に製造することができるロータ、及びモータの製造方法を提供することにある。
【課題を解決するための手段】
【０００６】
上記課題を解決するロータは、ロータコアと、ロータコアに固定された回転軸と、ロータコアの外表面と当接して周方向に複数設けられる永久磁石と、各前記永久磁石の外表面を覆う筒状の非磁性カバーとを備えたロータであって、前記ロータコアは、硬度の高い高硬度部と、硬度の低い低硬度部とが、軸方向に並設されて構成され、前記低硬度部の外径が前記高硬度部の外径よりも小さく設定される。
【０００７】
同構成によれば、ロータコアは、硬度の高い高硬度部と、硬度の低い低硬度部とが、軸方向に並設されて構成されるため、例えば、回転軸を低硬度部側からロータコアに圧入することで（高硬度部側から圧入する場合に比べて）バリの発生を抑制することができる。よって、例えば、バリを除去するといった工程を省略することが可能となり、製造を容易とすることができる。また、低硬度部の外径が高硬度部の外径よりも小さく設定されるため、例えば、低硬度部と高硬度部の外径を同じに設定した場合のように製造誤差によってロータコアの外表面に意図せぬ段差ができてしまうといったことがない。よって、例えば、ロータコアの外表面の意図せぬ段差によって永久磁石が傾いてしまうといったことが抑えられ、永久磁石を高硬度部の外表面に安定して（傾かないように）当接させて支持させることができる。これにより、ロータコア（高硬度部）の外表面に永久磁石を当接させた状態で、各永久磁石の外表面を覆うように非磁性カバーを圧入する工程を安定して行うことができる。
【０００８】
上記ロータであって、前記高硬度部は、前記低硬度部よりも軸方向長さが長く形成されることが好ましい。
同構成によれば、高硬度部は、低硬度部よりも軸方向長さが長く形成されるため、永久磁石を高硬度部の外表面に更に安定して（傾かないように）当接させて支持させることができる。
【０００９】
上記課題を解決するモータの製造方法は、金属の板材をプレス加工により打ち抜いて、複数枚のステータコアシートと、複数枚のロータコアシートを形成し、前記複数枚のステータコアシートを積層してステータコアを形成し、前記ステータコアの軸方向端部にはロータコアとの対向面積を増大させる軸方向延出部を設け、前記軸方向延出部を含む前記ステータコアに対向させるために前記ステータコアシートより多い枚数のロータコアシートを積層して前記ロータコアを形成するモータの製造方法であって、前記ステータコアシートと同一枚数のメインロータコアシートを前記ステータコアシートとともに打ち抜いて形成し、前記ロータコアシートの不足枚数分である補助ロータコアシートは前記ステータコアシートの原材料より硬度の低い金属板を打ち抜いて前記メインロータコアシートよりも外径を小さく形成し、前記メインロータコアシート及び補助ロータコアシートを積層してロータコアを形成し、回転軸を前記補助ロータコアシートが積層された側からロータコアに固定し、前記ロータコアの外表面に永久磁石を当接させた状態で該永久磁石の外表面を覆う筒状の非磁性カバーを圧入する。
【００１０】
同方法によれば、回転軸を硬度の低い補助ロータコアシート側からロータコアに固定することで、バリの発生を抑制することができる。よって、例えば、バリを除去するといった工程を省略することが可能となり、製造を容易とすることができる。また、メインロータコアシートは、ステータコアシートとともに（ステータコアシートの内側で）打ち抜かれて共取りされるため、別の板材から打ち抜く場合に比べて、歩留まりを高くすることができる。また、補助ロータコアシートはメインロータコアシートよりも外径が小さく形成され、外径の大きい方のメインロータコアシートをステータコアシートとともに（ステータコアシートの内側で）打ち抜くため、例えば、逆に補助ロータコアシートをステータコアシートとともに打ち抜く場合に比べて歩留まりを高くすることができる。また、補助ロータコアシートはメインロータコアシートよりも外径が小さく形成され、硬度の低い補助ロータコアシートからなる低硬度部の外径がメインロータコアシートからなる高硬度部の外径よりも小さくなる。よって、例えば、低硬度部と高硬度部の外径を同じに設定した場合のように製造誤差によってロータコアの外表面に意図せぬ段差ができてしまうといったことがない。よって、例えば、ロータコアの外表面の意図せぬ段差によって永久磁石が傾いてしまうといったことが抑えられ、永久磁石を高硬度部の外表面に安定して（傾かないように）当接させて支持させることができる。これにより、ロータコア（高硬度部）の外表面に永久磁石を当接させた状態で、永久磁石の外表面を覆うように筒状の非磁性カバーを圧入する工程を安定して行うことができる。
【００１１】
上記モータの製造方法であって、前記非磁性カバーを前記ロータコアの軸方向他端側に積層された前記メインロータコアシート側から圧入することが好ましいを特徴とするモー。
【００１２】
同方法によれば、非磁性カバーがメインロータコアシートからなる高硬度部側から圧入されるため、圧入時に永久磁石が傾いてしまうことを抑えることができる。即ち、非磁性カバーが補助ロータコアシートからなる低硬度部側から圧入されると、低硬度部の外径が小さいために、圧入初期の段階で永久磁石が傾いてしまう力が掛かるが、これを回避して圧入を容易に行うことができる。また、非磁性カバーが低硬度部側から圧入される場合に比べて、ロータコアの変形を抑えることができる。
【発明の効果】
【００１３】
本発明のロータ、及びモータの製造方法では、容易に製造することができる。
【図面の簡単な説明】
【００１４】
【図１】一実施形態におけるモータの概略構成を示す模式断面図。
【図２】一実施形態におけるモータの分解斜視図。
【図３】（ａ）は一実施形態におけるモータの側面図、（ｂ）はｂ−ｂ断面図。
【図４】一実施形態におけるステータコアとロータを示す断面図。
【図５】一実施形態におけるモータの製造方法を説明するための説明図。
【図６】一実施形態におけるモータの製造方法を説明するための説明図。
【図７】（ａ）及び（ｂ）は一実施形態におけるロータの部分拡大断面図。
【図８】別例におけるステータコアとロータを示す断面図。
【発明を実施するための形態】
【００１５】
以下、一実施形態を図１〜図７に従って説明する。
図１に示すように、モータ１０は、第１エンドフレーム（以下、第１フレーム１１とする）と第２エンドフレーム（以下、第２フレーム１２とする）とによって円環状のステータ１３を回転軸方向に挟持した構成となっている。第１フレーム１１と第２フレーム１２とは、ステータ１３の外周に配置される複数（本実施形態では２つ）のスルーボルト１４によって互いに固定されている。また、ステータ１３の内側にロータ１５が回転可能に配置されている。なお、本実施形態では、モータ１０の軸方向反出力側（図１において上側）でステータ１３を保持するエンドフレームを第１フレーム１１とし、軸方向出力側でステータ１３を保持するエンドフレームを第２フレーム１２としている。
【００１６】
図１及び図２に示すように、ステータ１３は、円環状のステータコア１６と、該ステータコア１６に巻装されたコイル１７とを有する。図３（ｂ）に示すように、ステータコア１６は、円環状をなす環状部１６ａと、環状部１６ａから径方向内側に延び周方向に並ぶ複数（本実施形態では６０個）のティース１６ｂと、環状部１６ａの外周面から径方向外側に突出し軸方向に沿って延びる４つのコア外周突出部１６ｃとから構成されている。環状部１６ａの外周面は円筒状をなすとともに、同環状部１６ａの軸方向の両端面は、軸方向と直交する平面状をなしている。また、コイル１７は、複数のティース１６ｂに跨って巻装されている。
【００１７】
図３（ａ）及び図３（ｂ）に示すように、コア外周突出部１６ｃは、環状部１６ａの外周面における周方向に等角度間隔（本実施形態では９０°間隔）となる４か所に設けられている。各コア外周突出部１６ｃは、環状部１６ａの軸方向の一端から他端まで軸方向に沿って延びる突条をなすとともに、軸方向から見た形状がその基端から先端に向かうにつれて周方向の幅が狭くなる略台形状をなしている。また、各コア外周突出部１６ｃには、各コア外周突出部１６ｃの先端（径方向外側の端）から基端に向かって凹設された円弧凹部１６ｄが形成されている。円弧凹部１６ｄは、軸方向から見た形状が円弧状をなすとともに、コア外周突出部１６ｃを軸方向に貫通する溝状をなしている。なお、円弧凹部１６ｄの曲率半径は、スルーボルト１４における雄螺子状の部分の半径より若干大きい値となっている。そして、４つのコア外周突出部１６ｃのうち周方向に１８０°間隔となる２箇所に設けられた２つのコア外周突出部１６ｃ（図３（ｂ）において左右に設けられた２つのコア外周突出部１６ｃ）の円弧凹部１６ｄには、軸方向に延びる略円柱状をなすスルーボルト１４が配置されている。これら２つのコア外周突出部１６ｃは、軸方向から見て、スルーボルト１４の外周の約半分を囲んでいる。
【００１８】
図１に示すように、このステータコア１６は、電磁鋼板材をプレス加工により打ち抜いて形成した複数枚のステータコアシート１８を軸方向に積層してかしめて一体化することにより形成されている。ステータコア１６の軸方向の両端部には、径方向内側において軸方向外側に延設される軸方向延出部としてのロータ対向部６５を備えた断面Ｌ字型のＬ字コア６６が取着されている。
【００１９】
従って、ステータコア１６の積厚（積層されたステータコアシート１８及びＬ字コア６６全体の厚み）を小さく抑えつつも、ティース１６ｂの径方向内側端面１６ｅ（ロータ１５との対向面）の軸方向長さを確保することが可能となっている。図３（ａ）では、ステータコアシート１８を省略してステータコア１６を簡略化して図示している。
【００２０】
図１及び図２に示すように、ステータコア１６の軸方向の両側に配置された第１フレーム１１及び第２フレーム１２は、金属材料よりなるとともに、鋳造により形成されている。第１及び第２フレーム１１，１２は、略円盤状の第１及び第２本体部２１，３１と、第１及び第２本体部２１，３１から軸方向に延出された円筒状の第１及び第２ステータ保持部２２，３２をそれぞれ備えている。また、第１及び第２フレーム１１，１２は、第１及び第２ステータ保持部２２，３２の外周面及び第１及び第２本体部２１，３１に一体に設けられた複数（本実施形態では２つずつ）の第１及び第２ボルト締結部２３，３３を備えている。第１及び第２ボルト締結部２３，３３は、周方向に等角度間隔（本実施形態では１８０°間隔）に設けられている。また、各第１ボルト締結部２３には、スルーボルト１４が挿通される第１締結孔２３ａ（図２参照）が形成されるとともに、各第２ボルト締結部３３には、スルーボルト１４が螺合される雌螺子状の第２締結穴３３ａ（図３（ｂ）参照）が形成されている。第１フレーム１１及び第２フレーム１２は、第１締結孔２３ａを貫通し第２締結穴３３ａに螺合されたスルーボルト１４によって第１及び第２ボルト締結部２３，３３が互いに連結されることにより、互いに固定されて一体化されている。また、第２フレーム１２は、図示しない螺子にてモータ１０を外部の固定場所に固定するための固定部３４を有する。固定部３４は、第２本体部３１において２つの第２ボルト締結部３３から周方向にずれた２箇所から径方向外側に延設されている。なお、モータ１０は、例えば、第１フレーム１１に対して第２フレーム１２が下方に位置するように固定場所に固定される。
【００２１】
図２及び図３（ａ）に示すように、第１ステータ保持部２２の先端部には、ステータコア１６の軸方向の一端部（図３（ａ）において上端部）が径方向内側に嵌合された第１嵌合部２５が形成されている。同様に、第２ステータ保持部３２の先端部には、ステータコア１６の軸方向の他端部（図３（ａ）において下端部）が径方向内側に嵌合された第２嵌合部３５が形成されている。
【００２２】
第１嵌合部２５は、周方向に離間して並ぶ複数（本実施形態では４個）の第１嵌合壁２５ａから構成されている。４つの第１嵌合壁２５ａは、周方向に等角度間隔（本実施形態では９０°間隔）に設けられている。更に、４つの第１嵌合壁２５ａは、周方向に隣り合うコア外周突出部１６ｃの間に１つずつ配置されている。即ち、コア外周突出部１６ｃは、周方向に隣り合う第１嵌合壁２５ａの間に位置して第１嵌合壁２５ａと周方向に重なっている。そして、コア外周突出部１６ｃは、第１嵌合壁２５ａと径方向に重なっていない。また、第２嵌合部３５は、周方向に離間して並ぶ複数（本実施形態では８個）の第２嵌合壁３５ａから構成されている。第２嵌合壁３５ａは、各コア外周突出部１６ｃの周方向の両側に１つずつ（即ち周方向に隣り合うコア外周突出部１６ｃの間に２つずつ）配置されている。即ち、コア外周突出部１６ｃは、周方向に隣り合う第２嵌合壁３５ａの間に位置して第２嵌合壁３５ａと周方向に重なっている。そして、コア外周突出部１６ｃは、第２嵌合壁３５ａと径方向に重なっていない。
【００２３】
第１及び第２嵌合部２５，３５（第１及び第２嵌合壁２５ａ，３５ａ）は、第１及び第２ステータ保持部２２，３２における基端側の部分よりも径方向の厚さが薄く形成されている。また、第１及び第２嵌合壁２５ａ，３５ａは、軸方向と平行に延出されるとともに、軸方向から見て周方向に沿った円弧状をなしている。更に、各第１及び第２嵌合壁２５ａ，３５ａは、基端から先端（第１及び第２ステータ保持部２２，３５の先端側の端）に向かうにつれて周方向の幅が狭くなっている。
【００２４】
図１に示すように、第１及び第２嵌合部２５，３５の内周面、即ち各第１及び第２嵌合壁２５ａ，３５ａの径方向内側の側面は、第１及び第２フレーム１１，１２とステータコア１６との芯出し用の第１及び第２芯出し面２５ｂ，３５ｂとなっている。
【００２５】
また、第１及び第２フレーム１１，１２は、第１及び第２ステータ保持部２２，３２の中心軸線と直交する方向に第１及び第２嵌合部２５、３５の基端部と隣り合う第１及び第２当接面２６，３６を有する。そして、第１当接面２６には、第１嵌合部２５に嵌入された環状部１６ａの軸方向の一端面（図１において上端面）が軸方向に当接している。また、第２当接面３６には、第２嵌合部３５に嵌入された環状部１６ａの軸方向の他端面（図１において下端面）が軸方向に当接している。この状態で、第１フレーム１１及び第２フレーム１２は、第１及び第２ステータ保持部２２，３２でステータ１３を挟持しつつスルーボルト１４にて互いに固定されている。
【００２６】
なお、本実施形態では、第１及び第２ステータ保持部２２，３２の先端部に設けられた第１及び第２嵌合部２５，３５（第１及び第２嵌合壁２５ａ，３５ａ）は、第１及び第２当接面２６，３６から軸方向に突出している。そのため、第１フレーム１１において第１芯出し面２５ｂと第１当接面２６とが直角をなして近接するとともに、第２フレーム１２において第２芯出し面３５ｂと第２当接面３６とが直角をなして近接している。
【００２７】
第１本体部２１の中央部には、ボールベアリングＢ１を軸方向のステータ１３側（モータ１０の内部側）から組付け可能に凹設された軸受収容部２９が形成されている。軸受収容部２９は、軸方向視で円形状をなしており、その内周面が軸方向に延びる円筒状をなしている。また、軸受収容部２９の中心軸線は、第１ステータ保持部２２の中心軸線（第１嵌合部２５の中心軸線）と一致している。そして、第１フレーム１１は、この軸受収容部２９内に円環状のボールベアリングＢ１を収容して保持している。また、軸受収容部２９の底部中央には、軸受収容部２９の底部を軸方向に貫通する貫通孔２９ａが形成されている。そして、軸受収容部２９の底部における貫通孔２９ａの径方向外側の部分と軸受収容部２９に収容されたボールベアリングＢ１との間には、ボールベアリングＢ１をステータ１３側に軸方向に付勢するウェーブワッシャ４１が介在されている。
【００２８】
第２本体部３１の中央部には、円環状のボールベアリングＢ２を収容して保持する軸受収容部４０が凹設されている。軸受収容部４０は、第２フレーム１２の軸方向外側端面からモータ１０の内部側（ステータ１３側）に窪む凹形状をなしている。つまり、軸受収容部４０は、ボールベアリングＢ２をモータ１０の外部側（ステータ１３と反対側）から組付け可能に形成されている。また、軸受収容部４０の中心軸線は、第２ステータ保持部３２の中心軸線（第２嵌合部３５の中心軸線）と一致している。そして、第２フレーム１２は、軸受収容部４０内に配置されたボールベアリングＢ２を、第１フレーム１１に保持されたボールベアリングＢ１と同軸となるように保持している。また、ボールベアリングＢ２は、軸受収容部４０の底部に軸方向から当接することで、軸方向の位置決めがなされている。なお、軸受収容部４０の底部中央には、軸受収容部４０の底部を軸方向に貫通する貫通孔４０ａが形成されている。
【００２９】
ロータ１５は、ボールベアリングＢ１，Ｂ２に回転可能に支持された回転軸５１と、回転軸５１に一体回転可能に固定された円筒状のロータコア５２と、ロータコア５２の外表面と当接するように配置された周方向に複数の永久磁石５３と、各永久磁石５３の外表面を覆って保持する筒状の非磁性カバー５４とを備える。各永久磁石５３は、ステータコア１６の内周面（ティース１６ｂの径方向内側端面１６ｅ）と非磁性カバー５４を介して径方向に対向している。回転軸５１の先端部（図１において下端部）は、貫通孔４０ａを貫通しボールベアリングＢ２から第２フレーム１２の外部であってモータ１０の外部に突出しており、その突出部分には、出力部としてのジョイント５５（図２参照）が装着される。また、回転軸５１の基端部（図１において上端部）は、貫通孔２９ａを貫通し第１フレーム１１の外部に突出しており、その突出部分には、固定部材５６を介して円盤状のセンサマグネット５７が固定されている。
【００３０】
図１及び図２に示すように、第１フレーム１１の外側面には制御部６１が固定されている。制御部６１は、第１フレーム１１に固定されるカバー６２と、カバー６２の内部に収容される回路基板６３とを備えている。回路基板６３には、前記センサマグネット５７と対向する磁気センサ６３ａ等を含む種々の素子が実装されている。また、回路基板６３には、前記コイル１７の端部が電気的に接続される。また、回路基板６３には、モータ１０に給電するための外部コネクタ（図示略）が接続されるコネクタ部６４が固定されるとともに、該コネクタ部６４はカバー６２の外部に露出している。そして、外部コネクタから供給される電源が回路基板６３を介してコイル１７に供給されることにより、ロータ１５が回転するようになっている。
【００３１】
ここで、図４に示すように、本実施形態のロータ１５のロータコア５２は複数枚のロータコアシート６７が積層されて構成される。各ロータコアシート６７の板厚は、ステータコアシート１８の板厚と同一である。そして、ロータコア５２の外周面を、Ｌ字コア６６（ロータ対向部６５）を含むステータコア１６の内周面全体に対向させるために、ロータコアシート６７はステータコアシート１８の積層枚数と同数の係合シートとしてのメインロータコアシート６７ａと、不足分の非係合シートとしての補助ロータコアシート６７ｂとで構成されている。
【００３２】
メインロータコアシート６７ａは、プレス加工によりステータコアシート１８と共通の電磁鋼板材から打ち抜いて形成される。
すなわち、図５に示すように、共通の電磁鋼板材６８からプレス加工によりステータコアシート１８とメインロータコアシート６７ａが１枚ずつ形成される。
【００３３】
また、メインロータコアシート６７ａは、その外表面に当接されることになる永久磁石５３と周方向に係合する磁石係合部６９（図７参照）を有した係合シートとされている。本実施形態の磁石係合部６９は、径方向外側に突出しつつ先端側に向かうほど周方向に沿った幅が小さくなるように形成されている。
【００３４】
補助ロータコアシート６７ｂは、別工程で電磁鋼板材より柔らかい（硬度の低い）ｓｐｃｃ材（冷間圧延鋼板）を打ち抜いて形成される。
また、補助ロータコアシート６７ｂは、永久磁石５３と周方向に係合しない（前記磁石係合部６９を有していない）非係合シートとされている。また、補助ロータコアシート６７ｂは、その外径が前記メインロータコアシート６７ａの外径、詳しくは前記磁石係合部６９を除くメインロータコアシート６７ａの外径であって永久磁石５３の径方向内側端面が当接する面の外径よりも小さく設定されている。
【００３５】
そして、ロータコア５２は、メインロータコアシート６７ａが積層されてなる硬度の高い高硬度部７１と、補助ロータコアシート６７ｂが積層されてなる硬度の低い低硬度部７２とが、軸方向に並設されて構成されている。具体的には、本実施形態のロータコア５２は、その軸方向一端側（図４及び図６中、上側）に複数のメインロータコアシート６７ａが積層された状態とされ、その軸方向他端側（図４及び図６中、下側）に複数の補助ロータコアシート６７ｂが積層された状態とされて構成されている。また、メインロータコアシート６７ａは、補助ロータコアシート６７ｂよりも多く、高硬度部７１は低硬度部７２よりも軸方向長さが長く形成されている。なお、各図では、補助ロータコアシート６７ｂ（低硬度部７２）の外径が、メインロータコアシート６７ａ（高硬度部７１）の外径より小さいことを視覚的に分かり易くすべく誇張して図示しており、例えば、補助ロータコアシート６７ｂの外径は製造誤差が生じてもメインロータコアシート６７ａの外径より大きくならないように設定されている。
【００３６】
また、図１及び図６に示すように、回転軸５１は、その長手方向（軸方向）の中間部にロータコア５２が外嵌固定される、言い換えるとロータコア５２に圧入される圧入部としてのローレット部５１ａ（図４では、図示略）を有する。本実施形態のローレット部５１ａは、外径が他の部位よりも大きく形成され、軸方向に複数（本実施形態では２つ）形成されている。各ローレット部５１ａは、その外周に軸方向に沿って延びる溝が周方向に多数設けられるようにローレット加工が施されてなる。２つのローレット部５１ａは、離間してロータコア５２の両端部（高硬度部７１の開口端側と低硬度部７２の開口端側）に圧入された状態で固定される。また、ローレット部５１ａは、高硬度部７１と低硬度部７２との境目を避けた範囲でロータコア５２に圧入される。即ち、２つのローレット部５１ａは、その間に高硬度部７１と低硬度部７２との境目が配置されるようにロータコア５２に圧入される。また、回転軸５１は、その両端側に前記ローレット部５１ａが形成されていない非ローレット部５１ｂ，５１ｃを有し、それら同士の長さが異なり、軸方向一端側（図１において上端側）であってセンサマグネット５７が固定される側の非ローレット部５１ｂが軸方向他端側（図１において下端側）の非ローレット部５１ｃよりも長く形成されている。そして、回転軸５１は、その軸方向一端面（図１において上端面）と軸方向他端面（図１において下端面）とに異なる形状の溝部５１ｄ，５１ｅが設けられている。本実施形態では、回転軸５１の軸方向一端面の溝部５１ｄと、回転軸５１の軸方向他端面の溝部５１ｅとは、軸方向から見て、径の異なる円形の溝部であって、軸方向一端面の溝部５１ｄが軸方向他端面の溝部５１ｅよりも径の大きな円形の溝部とされている。そして、回転軸５１は、前記ロータコア５２の高硬度部７１側に長い方の（軸方向一端側であって径の大きい溝部５１ｄが形成された側の）非ローレット部５１ｂが配置されるように、ローレット部５１ａがロータコア５２に圧入された状態でロータコア５２と固定されている。
【００３７】
また、図７（ａ）及び図７（ｂ）に示すように、永久磁石５３は、ロータコア５２の外表面（外周面）と当接して周方向に複数（本実施形態では１０個）設けられている。本実施形態では、永久磁石５３は、メインロータコアシート６７ａが積層されてなる高硬度部７１の（前記磁石係合部６９を除く）外表面と確実に当接し（図７（ａ）参照）、補助ロータコアシート６７ｂが積層されてなる低硬度部７２の外表面とは僅かに離間するように設けられている。また、永久磁石５３は、その周方向両端部が前記磁石係合部６９と周方向に係合するように設けられている。
【００３８】
この永久磁石５３は、軸方向から見て、その外表面（径方向外側の面）における周方向中央部が周方向両端部よりも軸中心Ｌ１からの距離が遠い湾曲形状とされている。詳しくは、永久磁石５３は、ロータコア５２の外表面と当接するように配置された状態で、軸中心Ｌ１から外表面における周方向中央部までの距離Ｋ１が、軸中心Ｌ１から外表面における周方向端部までの距離Ｋ２よりも遠くなる（大きくなる）湾曲形状に形成されている。また、本実施形態の永久磁石５３は、図７（ａ）に示すように、その外表面における周方向中央部よりも径方向外側にある配向点Ｚを磁束（矢印Ａ参照）が通るように（逆ラジアルに）着磁されている。
【００３９】
また、各永久磁石５３の外表面を覆う筒状の非磁性カバー５４は、その軸方向に高圧接部５４ａ（図７（ａ）参照）と低圧接部５４ｂ（図７（ｂ）参照）とを有する。高圧接部５４ａは、ロータコア５２の高硬度部７１側（図４における上側）に配置され、図７（ａ）に示すように、永久磁石５３の外表面における周方向の広い範囲Ｗ１と高い圧力で圧接する。また低圧接部５４ｂは、ロータコア５２の低硬度部７２側（図４における下側）に配置され、図７（ｂ）に示すように、永久磁石５３の外表面における周方向の狭い範囲Ｗ２と低い圧力で圧接（軸方向から見てほぼ点接触）する。また、図１及び図４に示すように、非磁性カバー５４内の軸方向両端部には、前記ロータコア５２の軸方向端面と当接するプレート部材Ｐが配置されている。プレート部材Ｐは、ロータコア５２と当接する当接部Ｐａと、該当接部Ｐａから永久磁石５３とは軸方向に離間するように屈曲しつつ径方向外側に延びる外側円盤部Ｐｂとを有する。そして、非磁性カバー５４は、その軸方向両端部にプレート部材Ｐの外縁を支点としてかしめられた内包かしめ部５４ｃが形成されることで軸方向の移動が規制されて固定されている。なお、プレート部材Ｐは、その外側円盤部Ｐｂが永久磁石５３と軸方向に離間するように設けられることで、内包かしめ部５４ｃが形成される際の永久磁石５３の割れが抑制される。
【００４０】
なお、本実施形態では、永久磁石５３の軸方向長さは、Ｌ字コア６６を含むステータコア１６の軸方向長さよりも長く設定されている。また、図１に示すように、各部材は、Ｌ字コア６６の屈曲部位の厚さＴ０＞Ｌ字コア６６の平面部（ロータ対向部６５を除く部位）の軸方向の厚さＴ１及びロータ対向部６５の径方向の厚さＴ１＞ステータコアシート１８の軸方向の厚さＴ２＞永久磁石５３の軸方向端部とロータ対向部６５の軸方向端部との軸方向の距離Ｓとなるように設定されている。
【００４１】
次に、上記のように構成されるモータ１０の製造方法及びその作用について説明する。
本実施形態のモータ１０の製造方法は、「メイン打ち抜き工程」、「補助打ち抜き工程」、「ステータ形成工程」、「ロータコア形成工程」、「軸圧入工程」、「非磁性カバー成形工程」、「カバー圧入工程」等を備える。
【００４２】
図５に示すように、「メイン打ち抜き工程」では、共通の電磁鋼板材６８からステータコアシート１８と同一枚数のメインロータコアシート６７ａをステータコアシート１８とともに打ち抜いて形成する。このとき、本実施形態では、メインロータコアシート６７ａを、永久磁石５３と周方向に係合する磁石係合部６９を有した係合シートとして打ち抜く。
【００４３】
また、「補助打ち抜き工程」では、電磁鋼板材より柔らかい（硬度の低い）ｓｐｃｃ材（冷間圧延鋼板）から補助ロータコアシート６７ｂを打ち抜いて形成する。このとき、本実施形態では、補助ロータコアシート６７ｂを、永久磁石５３と周方向に係合しない（前記磁石係合部６９を有していない）非係合シートとして打ち抜く。また、このとき、補助ロータコアシート６７ｂの外径を、メインロータコアシートの外径よりも小さく形成する。
【００４４】
「ステータ形成工程」では、前記「メイン打ち抜き工程」で形成した複数枚のステータコアシート１８及び別途成形した前記Ｌ字コア６６を積層してロータ対向部６５を有するステータコア１６を形成する。
【００４５】
「ロータコア形成工程」では、前記「メイン打ち抜き工程」及び「補助打ち抜き工程」で形成した複数枚のメインロータコアシート６７ａ及び補助ロータコアシート６７ｂを積層して前記ロータコア５２を形成する。
【００４６】
図６に示すように、「軸圧入工程」では、回転軸５１を前記低硬度部７２側（補助ロータコアシート６７ｂが積層された側）から挿入してローレット部５１ａを上記のように予め構成されたロータコア５２に圧入する。このとき、回転軸５１には上記のように軸方向に離間した２つのローレット部５１ａを形成しておくことで、回転軸５１（ローレット部５１ａ）をロータコア５２に、該ロータコア５２の軸方向長さよりも短い範囲で圧入する。
【００４７】
また、図６に示すように、「非磁性カバー成形工程」では、上記のように各永久磁石５３の外表面を覆う筒状の非磁性カバー５４であって、内径の大きい（後に低圧接部５４ｂとなる）大径部８１と内径の小さい（後に高圧接部５４ａとなる）小径部８２とが軸方向に並設された非磁性カバー５４を成形する。また、本実施形態の「非磁性カバー成形工程」では、前記大径部８１と前記小径部８２との間に徐々に内径が小さくなる縮径部８３を成形する。また、本実施形態の「非磁性カバー成形工程」では、前記大径部８１の開口端側に徐々に内径が大きくなる案内拡径部８４を成形する。また、本実施形態の「非磁性カバー成形工程」では、前記小径部８２の開口端に徐々に内径が大きくなる拡径部８５を成形する。
【００４８】
そして、後の「カバー圧入工程」では、前記ロータコア５２の外表面に永久磁石５３を当接させた状態で、前記大径部８１の内面及び前記小径部８２の内面が共に永久磁石５３の外表面と当接するように前記「非磁性カバー成形工程」で成形した非磁性カバー５４を圧入する（非磁性カバー５４で覆うように強い圧力を加えて軸方向に押し込む）。本実施形態の「カバー圧入工程」では、非磁性カバー５４の前記大径部８１側であって案内拡径部８４側から非磁性カバー５４を圧入する。また、本実施形態の「カバー圧入工程」では、非磁性カバー５４を前記高硬度部７１側（メインロータコアシート６７ａ側）から圧入する。このようにすると、非磁性カバー５４は、案内拡径部８４によってスムーズに案内されながらまず大径部８１が各永久磁石５３を覆うように（軽）圧入され、途中で縮径部８３によってスムーズに案内されながら小径部８２が各永久磁石５３を覆うように圧入される。すると、大径部８１は上記した低圧接部５４ｂとなり、小径部８２は大きく変形して上記した高圧接部５４ａとなる。そして、図１及び図４に示すように、非磁性カバー５４内に、軸方向両側から前記プレート部材Ｐを収容させ、前記案内拡径部８４及び拡径部８５を、プレート部材Ｐの外縁を支点として内側にかしめて前記内包かしめ部５４ｃとすることで、ロータコア５２及び非磁性カバー５４の軸方向の相対移動を規制してロータ１５が製造される。
【００４９】
次に、上記実施形態の特徴的な効果を以下に記載する。
（１）ロータコア５２は、硬度の高い高硬度部７１と、硬度の低い低硬度部７２とが、軸方向に並設されて構成されるため、回転軸５１（ローレット部５１ａ）を低硬度部７２側（補助ロータコアシート６７ｂ側）からロータコア５２に圧入することで（高硬度部７１側から圧入する場合に比べて）バリの発生を抑制することができる。よって、例えば、バリを除去するといった工程を省略することが可能となり、製造を容易とすることができる。また、低硬度部７２の外径が高硬度部７１の外径よりも小さく設定されるため、例えば、低硬度部７２と高硬度部７１の外径を同じに設定した場合のように製造誤差によってロータコア５２の外表面に意図せぬ段差ができてしまうといったことがない。よって、例えば、ロータコア５２の外表面の意図せぬ段差によって永久磁石５３が傾いてしまうといったことが抑えられ、永久磁石５３を高硬度部７１の外表面に安定して（傾かないように）当接させて支持させることができる。これにより、ロータコア５２（高硬度部７１）の外表面に永久磁石５３を当接させた状態で、各永久磁石５３の外表面を覆うように非磁性カバー５４を圧入する工程を安定して行うことができる。
【００５０】
（２）高硬度部７１は、低硬度部７２よりも軸方向長さが長く形成されるため、永久磁石５３を高硬度部７１の外表面に更に安定して（傾かないように）当接させて支持させることができる。
【００５１】
（３）製造方法では、メインロータコアシート６７ａは、ステータコアシート１８とともに（ステータコアシート１８の内側で）打ち抜かれて共取りされるため、別の板材から打ち抜く場合に比べて、歩留まりを高くすることができる。また、補助ロータコアシート６７ｂはメインロータコアシート６７ａよりも外径が小さく形成され、外径の大きい方のメインロータコアシート６７ａをステータコアシート１８とともに打ち抜くため、例えば、逆に補助ロータコアシート６７ｂをステータコアシート１８とともに打ち抜く場合に比べて歩留まりを高くすることができる。
【００５２】
（４）非磁性カバー５４がメインロータコアシート６７ａからなる高硬度部７１側から圧入されるため、圧入時に永久磁石５３が傾いてしまうことを抑えることができる。即ち、非磁性カバー５４が補助ロータコアシート６７ｂからなる低硬度部７２側から圧入されると、低硬度部７２の外径が小さいために、圧入初期の段階で永久磁石５３が傾いてしまう力が掛かるが、これを回避して圧入を容易に行うことができる。また、非磁性カバー５４が低硬度部７２側から圧入される場合に比べて、ロータコア５２の変形を抑えることができる。
【００５３】
（５）メインロータコアシート６７ａは、永久磁石５３と周方向に係合する磁石係合部６９を有した係合シートとされるため、永久磁石５３が周方向にずれてしまうことを抑えることができる。また、補助ロータコアシート６７ｂは、永久磁石５３と周方向に係合しない非係合シートとされ、非係合シートは磁石係合部６９を有していない分、専有面積が小さく、係合シートに比べて歩留まりを高くすることができるので、例えば、全てのロータコアシートを係合シートとした場合に比べて、歩留まりを高くすることができる。言い換えると、全てのロータコアシート６７を係合シート（メインロータコアシート６７ａ）とした場合に比べて、例えば、ロータコアシート６７を成形する（打ち抜く）ために必要となる板材の面積を小さくすることができる。また、メインロータコアシート６７ａは、ステータコアシート１８とともに（ステータコアシート１８の内側で）打ち抜かれるものであり、磁石係合部６９を有しているか否かに関わらず必要となる板材の面積は変わらない。よって、メインロータコアシート６７ａに磁石係合部６９を設けても、磁石係合部６９を有していないものを製造する場合に比べて歩留まりが悪化することがない。
【００５４】
上記実施形態は、以下のように変更してもよい。
・上記実施形態では、ロータコア５２は、その軸方向一端側に複数のメインロータコアシート６７ａが積層された状態とされ、その軸方向他端側に複数の補助ロータコアシート６７ｂが積層された状態とされるとしたが、これに限定されず、他の組み合わせで積層して構成してもよい。
【００５５】
例えば、図８に示すように、ロータコア９１を、その軸方向中央部に複数のメインロータコアシート６７ａ（係合シート）が積層された状態とし、その軸方向両端部に複数の補助ロータコアシート６７ｂ（非係合シート）が積層された状態として軸方向中心に対して対称に構成してもよい。
【００５６】
このようにすると、回転時のバランスを良好とすることができるとともに、磁石係合部６９にて永久磁石５３が周方向にずれてしまうことをバランスよく抑えることができる。
また、この例（図８）では、ローレット部５１ａがロータコア９１の軸方向長さよりも長く１つのみ（離間せずに）形成されている。即ち、回転軸５１（ローレット部５１ａ）は、ロータコア９１の軸方向長さと同じ範囲で圧入されており、上記実施形態に限定されず、このように変更してもよい。
【００５７】
・上記実施形態では、高硬度部７１は、低硬度部７２よりも軸方向長さが長く形成されるとしたが、これに限定されず、同じとしてもよいし、低硬度部７２よりも軸方向長さを短く形成してもよい。
【００５８】
・上記実施形態の製造方法は変更してもよい。例えば、メインロータコアシート６７ａは、ステータコアシート１８とともに（ステータコアシート１８の内側で）打ち抜かれて共取りされるとしたが、これに限定されず、別の板材から打ち抜いてもよい。また、例えば、非磁性カバー５４をメインロータコアシート６７ａからなる高硬度部７１側から圧入するとしたが、これに限定されず、低硬度部７２側から圧入してもよい。
【００５９】
・上記実施形態では、メインロータコアシート６７ａは、永久磁石５３と周方向に係合する磁石係合部６９を有した係合シートとされるとしたが、これに限定されず、磁石係合部６９を有していない（例えば、単純な円形の）非係合シートとしてもよい。
【００６０】
上記実施形態から把握できる技術的思想を以下に記載する。
（イ）請求項３又は４に記載のモータの製造方法であって、前記メインロータコアシートは、前記永久磁石と周方向に係合する磁石係合部を有した係合シートとされ、前記補助ロータコアシートは、前記永久磁石と周方向に係合しない非係合シートとされたことを特徴とするモータの製造方法。
【００６１】
同方法によれば、メインロータコアシートは、永久磁石と周方向に係合する磁石係合部を有した係合シートとされるため、永久磁石が周方向にずれてしまうことを抑えることができる。また、補助ロータコアシートは、永久磁石と周方向に係合しない非係合シートとされ、非係合シートは磁石係合部を有していない分、専有面積が小さく、係合シートに比べて歩留まりを高くすることができるので、例えば、全てのロータコアシートを係合シートとした場合に比べて、歩留まりを高くすることができる。言い換えると、全てのロータコアシートを係合シートとした場合に比べて、例えば、ロータコアシートを成形する（打ち抜く）ために必要となる板材の面積を小さくすることができる。また、メインロータコアシートは、ステータコアシートとともに（ステータコアシートの内側で）打ち抜かれるものであり、磁石係合部を有しているか否かに関わらず必要となる板材の面積は変わらないため、メインロータコアシートに磁石係合部を設けても、磁石係合部を有していないものを製造する場合に比べて歩留まりが悪化することがない。
【符号の説明】
【００６２】
１５…ロータ、１６…ステータコア、１８…ステータコアシート、５１…回転軸、５２，９１…ロータコア、５３…永久磁石、５４…非磁性カバー、６５…ロータ対向部（軸方向延出部）、６７…ロータコアシート、６７ａ…メインロータコアシート、６７ｂ…補助ロータコアシート、６８…電磁鋼板材（板材）、７１…高硬度部、７２…低硬度部。
【図１】
2018033241.tif 000003
【図２】
2018033241.tif 000004
【図３】
2018033241.tif 000005
【図４】
2018033241.tif 000006
【図５】
2018033241.tif 000007
【図６】
2018033241.tif 000008
【図７】
2018033241.tif 000009
【図８】
2018033241.tif 000010